(57)【要約】【課題】テキストメッセージ送信装置及びその方法を提供する。【解決手段】テキストメッセージ送信装置は、モバイルネットワーク通信モジュールと、加入者回線インターフェイス回路（ＳＬＩＣ）モジュールと、プロセッサとを備える。モバイルネットワーク通信モジュールは、テキストメッセージを受信する。ＳＬＩＣモジュールは、公衆交換電話網（ＰＳＴＮ）において従来型の電話機と接続するように構成される。プロセッサは、モバイルネットワーク通信モジュール及びＳＬＩＣモジュールに接続される。プロセッサは、テキストメッセージを復号して当該テキストメッセージのテキスト内容を取得し、テキスト内容を発話内容に変換し、ＳＬＩＣモジュールを介して発話内容を再生する。従って、テキストメッセージを、ＰＳＴＮを介して送信することができる。【選択図】        図５
2019176457.tif 000002
【特許請求の範囲】
【請求項１】
テキストメッセージを受信するモバイルネットワーク通信モジュールと、
公衆交換電話網（ＰＳＴＮ）において従来型の電話機と接続される加入者回線インターフェイス回路（ＳＬＩＣ）モジュールと、
前記モバイルネットワーク通信モジュール及び前記ＳＬＩＣモジュールに接続されるプロセッサであって、前記テキストメッセージを復号して当該テキストメッセージのテキスト内容を取得し、前記テキスト内容を発話内容に変換し、前記ＳＬＩＣモジュールを介して前記発話内容を再生するプロセッサと、
を備えるテキストメッセージ送信装置。
【請求項２】
前記ＳＬＩＣモジュールは、前記プロセッサから受信した前記発話内容に応じたリンギングを生成する、請求項１に記載のテキストメッセージ送信装置。
【請求項３】
前記プロセッサは、前記テキストメッセージの重大度を判別し、前記ＳＬＩＣモジュールは、前記重大度に応じて前記リンギングの周波数あるいはパターンを設定する、請求項２に記載のテキストメッセージ送信装置。
【請求項４】
前記ＳＬＩＣモジュールは、前記従来型の電話機で検出されるオフフック状態に応じて、前記発話内容を再生する、請求項１に記載のテキストメッセージ送信装置。
【請求項５】
前記ＳＬＩＣモジュールは、前記従来型の電話機で検出されたオンフック状態に応じて、前記発話内容の再生動作を終了する、請求項１に記載のテキストメッセージ送信装置。
【請求項６】
セルラーネットワーク及び公衆交換電話網をサポートする装置に適用されるメッセージ送信方法であって、
前記セルラーネットワークからテキストメッセージを受信し、
前記テキストメッセージを復号して当該テキストメッセージのテキスト内容を取得し、
前記テキスト内容を発話内容に変換し、
前記公衆交換電話網を介して前記発話内容を再生する、
ことを含むメッセージ送信方法。
【請求項７】
前記公衆交換電話網を介して前記発話内容を再生するステップは、
前記発話内容が生成されることに応じて、加入者回線インターフェイス回路（ＳＬＩＣ）を介してリンギングを生成する、
ことを含む、請求項６に記載のメッセージ送信方法。
【請求項８】
前記ＳＬＩＣを介して前記リンギングを生成するステップは、
前記テキストメッセージの重大度を判別し、
前記重大度に応じて前記リンギングの周波数あるいはパターンを設定する、
ことを含む、請求項７に記載のメッセージ送信方法。
【請求項９】
前記公衆交換電話網を介して前記発話内容を再生するステップは、
検出されるオフフック状態に応じて前記発話内容を再生する、
ことを含む、請求項６に記載のメッセージ送信方法。
【請求項１０】
前記公衆交換電話網を介して前記発話内容を再生した後、
検出されるオンフック状態に応じて、前記発話内容を再生する動作を終了する、
ことをさらに含む、請求項６に記載のメッセージ送信方法。
【発明の詳細な説明】
【技術分野】
【０００１】
本発明は、テキストメッセージの送信に関し、より詳細には、テキストメッセージ送信装置及びその方法に関する。
【背景技術】
【０００２】
近年、地球の気候異常が、自然災害の頻度の劇的な増加を引き起こした。また、火山噴火、津波及び地震は、多数の死傷者に影響するであろう災害である。関連する地域の人々に、災害に関する警報メッセージをできるだけ早くあるいは事前にブロードキャストすることができれば、人への被害、あるいは物、建物及び財産への被害を回避あるいは減らすことができる。モバイルブロードバンド技術の急速な普及に伴い、多くの国々では、モバイルネットワークを介して災害防止警報及び関連する偶発性情報の提供を推進している。換言すると、携帯電話がテキストメッセージ（例えば、ショートメッセージサービス（ＳＭＳ）、セルブロードキャストサービス（ＣＢＳ））を受信可能なようにすることが未だ非常に求められており、これによって携帯電話ユーザは、警報メッセージを受信することができる。従って、このサービスでは、従来型の電話機によってのみ通信する人々へ警報メッセージを届けることができなかった。
【発明の概要】
【発明が解決しようとする課題】
【０００３】
以上を鑑み、本発明は、従来の公衆交換電話網（ＰＳＴＮ）電話機がセルラーネットワークからテキストメッセージを受け取り可能にするテキストメッセージ送信装置及びその方法を提供する。
【課題を解決するための手段】
【０００４】
本発明のテキストメッセージ送信装置は、モバイルネットワーク通信モジュールと、加入者回線インターフェイス回路（ＳＬＩＣ）モジュールと、プロセッサとを備える。モバイルネットワーク通信モジュールは、テキストメッセージを受信する。ＳＬＩＣモジュールは、ＰＳＴＮにおいて従来型の電話機と接続される。プロセッサは、モバイルネットワーク通信モジュール及びＳＬＩＣモジュールに接続され、テキストメッセージを復号して当該テキストメッセージのテキスト内容を取得し、テキスト内容を発話内容に変換し、ＳＬＩＣモジュールを介して発話内容を再生する。
【０００５】
本発明の一の実施の形態においては、ＳＬＩＣモジュールは、プロセッサから受信した発話内容に応じたリンギングを生成してターンオンする。
【０００６】
本発明の一の実施の形態においては、プロセッサは、テキストメッセージの重大度を判別し、ＳＬＩＣモジュールは、重大度に応じてリンギングの周波数あるいはパターンを設定する。
【０００７】
本発明の一の実施の形態においては、ＳＬＩＣモジュールは、従来型の電話機で検出されるオフフック状態に応じて、発話内容を再生する。
【０００８】
本発明の一の実施の形態においては、ＳＬＩＣモジュールは、従来型の電話機で検出されたオンフック状態に応じて、発話内容の再生動作を終了する。
【０００９】
本発明のメッセージ送信方法は、セルラーネットワーク及び公衆交換電話網をサポートする装置に適用され、以下のステップを含む。セルラーネットワークからテキストメッセージを受信する。テキストメッセージを復号して当該テキストメッセージのテキスト内容を取得する。テキスト内容を発話内容に変換する。ＰＳＴＮを介して発話内容を再生する。
【００１０】
本発明の一の実施の形態においては、ＰＳＴＮを介して発話内容を再生するステップは、以下のステップを含む。発話内容が生成されたことに応じて、加入者回線インターフェイス回路（ＳＬＩＣ）を介してリンギングを生成してターンオンする。
【００１１】
本発明の一の実施の形態においては、ＳＬＩＣを介して前記リンギングを生成するステップは、以下のステップを含む。テキストメッセージの重大度を判別する。重大度に応じて前記リンギングの周波数あるいはパターンを設定する。
【００１２】
本発明の一の実施の形態においては、ＰＳＴＮを介して発話内容を再生するステップは、以下のステップを含む。検出されるオフフック状態に応じて前記発話内容を再生する。
【００１３】
本発明の一の実施の形態においては、ＰＳＴＮを介して発話内容を再生した後、さらに、検出されるオンフック状態に応じて、発話内容を再生する動作を終了する、ことを含む。
【発明の効果】
【００１４】
以上より、本発明の実施の形態によれば、セルラーネットワークからのテキストメッセージを発話内容に変換し、発話内容を従来型の電話機へＳＬＩＣを介して送信することで、テキストメッセージを基本電話サービス（ＰＯＴＳ）ネットワークシステムに送信する統合上の問題が解決される。また、本発明の実施の形態に記載するように異なるリンギング態様を提供することで、ユーザは、テキストメッセージの重大度（例えば、緊急性、重要性等）を理解可能になる。
【００１５】
本発明の上記の特徴及び利点についての理解をより容易にするため、添付の図面とともにいくつかの実施の形態について以下に詳細に説明する。
【図面の簡単な説明】
【００１６】
添付の図面は、発明についての更なる理解のために供され、本明細書に取り込まれ、本明細書の一部を構成する。図面は本発明の実施の形態を示し、詳細な説明とともに、本発明の原理を説明するのに役立つ。
【００１７】
【図１】本発明の一の実施の形態に係る通信システムの概略図である。
【００１８】
【図２】本発明の一の実施の形態に係るテキストメッセージ送信装置の装置ブロック図である。
【００１９】
【図３】本発明の一の実施の形態に係る、モバイルネットワーク通信モジュール及びプロセッサの装置ブロック図である。
【００２０】
【図４】本発明の一の実施の形態に係る、ＳＬＩＣモジュール、従来型の電話機及びプロセッサの装置ブロック図である。
【００２１】
【図５】本発明の一の実施の形態に係るテキストメッセージ送信方法のフローチャートである。
【００２２】
【図６】本発明の一の実施の形態に係るメッセージの重大度に関するフローチャートである。
【発明を実施するための形態】
【００２３】
本発明の好ましい実施の形態について詳細に説明する。それらの例を、添付の図面に示す。可能な限り、同一あるいは類似の部分については同一の参照番号を図面及び詳細な説明において用いる。
【００２４】
図１は、本発明の一の実施の形態に係る通信システム１の概略図である。図１を参照し、通信システム１は、これらに限定されないが、モバイル端末１１と、従来型の電話機１２及び１３と、テキストメッセージ送信装置１００とを備える。
【００２５】
モバイル端末１１は、セルラー（モバイル）ネットワーク１５によって提供されるサービスを受信する携帯電話、タブレットコンピュータ等であってよく、モバイル端末１１は、また、テキストメッセージ（例えば、ショートメッセージサービス（ＳＭＳ））を送信し、あるいは、セルラーネットワーク１５を介して電話をしてもよい。
【００２６】
ある実施の形態においては、テキストメッセージ（例えば、セルブロードキャストサービス（ＣＢＳ））は、政府、ビジネスあるいは会社のブロードキャスティングプラットフォームに由来するもので、電話通信サービスプロバイダのセルブロードキャストセンターを介して送信され得る。
【００２７】
従来型の電話機１２及び１３は、公衆交換電話網（ＰＳＴＮ）あるいはボイスオーバーＩＰ（ＶｏＩＰ）１７をサポートする電話であってよく、従来型の電話機１２及び１３は、ＰＳＴＮまたはインターネットを介して音声通話を確立し得る。
【００２８】
図２を参照し、テキストメッセージ送信装置１００は、これらに限定されないが、モバイルネットワーク通信モジュール１１０と、加入者回線インターフェイス回路（ＳＬＩＣ）モジュール１３０と、電源１４０と、メモリ１５０と、プロセッサ１６０とを備える。
【００２９】
図３を参照し、モバイルネットワーク通信モジュール１１０は、これらに限定されないが、少なくとも１本のアンテナ１１と、無線フロントエンド回路１１３と、無線送受信機１１５と、通信プロトコルプロセッサ１１７とを備える。無線フロントエンド回路１１３はアンテナ１１１を介して出力される無線周波数を、アナログのベースバンド信号に変換するよう構成される。無線送受信機１１５は、低ノイズ増幅、インピーダンスマッチング、周波数ミキシング、周波数アップコンバートあるいはダウンコンバート、フィルタリング、増幅、アナログ及びデジタル信号変換等の処理動作を実行する。通信プロトコルプロセッサ１１７は、無線リソース制御（ＰＲＣ）、第２世代、第３世代あるいは第４世代モバイル通信規格のモバイルマネージメント（ＭＭ）等の端末装置のプロトコルレイヤー機能エンティティを実行するよう構成され、通信プロトコルプロセッサ１１７は互いにデータを送信するようにプロセッサ１６０に接続される。
【００３０】
図４を参照し、ＳＬＩＣモジュール１３０は、プロセッサ１６０に接続され、ＳＬＩＣモジュール１３０は、機能ドライバ１３１と保護回路１３３とを備える。機能ドライバ１３１は、コーデック、リンギング生成、ローカル及びインカミング音源セパレーション、従来型の電話機１３のオンフック状態及びオフフック状態の検出、リンギング及び有線関連機能の調整等のＳＬＩＣに関連する機能を実行するよう構成される。保護回路１３３は、ヒューズ、ガス放電管及びサイリスタ等の電流及び電圧からＳＬＩＣを保護する電気的素子を含む。ＳＬＩＣモジュール１３０は、従来型の電話機１３に接続するための電話線（例えば、ＴＩＰ、ＲＩＮＧ）インターフェイスをさらに備え、それによって従来型の電話機１３でリンギングを生成及びターンオンし、発話内容を再生する。
【００３１】
電源１４０は、テキスト送信装置１００が要する電力を供給するために用いられる、バッテリ、電力変換器、トランスを含む幹線電源ポートあるいは電源装置を備える。
【００３２】
メモリ１５０は、任意の態様の固定あるいは取り外し可能な装置であってよく、ランダムアクセスメモリ（ＲＡＭ）、リードオンリメモリ（ＲＯＭ）、フラッシュメモリ、あるいは他の同様の装置、またはそれらの組み合わせであってよい。メモリ１５０は、テキストメッセージ、テキスト内容、発話内容、プログラミングコード、装置構成、コードブック、バッファーあるいは恒久的なデータ等を記憶するよう構成される。
【００３３】
プロセッサ１６０は、デジタル信号を処理し、本発明の例示的な実施の形態に従った手順を実行するよう構成され、メモリ１５０に記録されたデータまたはソフトウェアモジュールにアクセスあるいはロードすることが可能である。プロセッサ１６０の機能は、中央処理装置（ＣＰＵ）、マイクロプロセッサ、マイクロコントローラ、デジタル信号処理（ＤＳＰ）チップ、フィールドプログラマブルゲートアレイ（ＦＰＧＡ）等のプログラム可能なユニットを用いることで実施され得る。プロセッサ１６０の機能は、また、独立した電子機器または集積回路（ＩＣ）によっても実施され得るものであり、プロセッサ１６０の動作は、ハードウェアの態様で実施され得る。本実施の形態においては、プロセッサ１６０は、アプリケーション１７０（例えば、接続管理（ＣＭ）プログラム１７１、メッセージデコーダ１７２、メッセージレシーバ１７３、発話プレイヤ１７４、テキスト／発話コンバータ１７５、オペレーティングシステム（ＯＳ）カーネル１８０、ＳＬＩＣドライバ１８１、モデムドライバ１８２及びオーディオプロセッサ１８３におけるオーディオドライバ１８４並びにオーディオファームウェア１８５を含むソフトウェアプログラムあるいはモジュール）を実行し、それら実行機能の詳細については、以下の実施の形態において後述する。
【００３４】
本発明の実施の形態における動作手順についてのよりよい理解のため、様々な実施の形態が以下に供され、本発明の実施の形態に係るテキストメッセージ送信装置１００の動作手順をさらに説明するために用いられる。
【００３５】
図５は、本発明の一の実施の形態に係るメッセージ送信方法を示すフローチャートである。図５を参照し、この実施の形態の方法は、図１の通信システム１におけるセルラーネットワーク１５及びＰＳＴＮ／ＶｏＩＰ１７をサポートするテキストメッセージ送信装置１００に適用される。以下の段落では、本発明の実施の形態に係る方法を、テキストメッセージ送信装置１００における様々な構成要素及びモジュールを参照して以下に説明する。当該方法の様々なステップは、実際の実施における必要性に応じて調整することができ、本開示に限定されるものではない。
【００３６】
電源１４０が投入された後、プロセッサ１６０はアプリケーション１７０における関連ハードウェアドライバ（例えば、ＳＬＩＣモジュール１３０を駆動するＳＬＩＣドライバ１８１、モバイルネットワーク通信モジュール１１０を駆動するモデムドライバ１８２））、さらに他のコンピューティングプログラムコードをロードする。次に、プロセッサ１６０は、ＣＭプログラム１７１を実行し、モバイルネットワーク通信モジュール１１０を駆動して、セルラーネットワーク１５における利用可能なセルラーネットワークリソースを検索し、モバイルネットワーク通信モジュール１１０についてセルラーネットワーク１５へのアクセス状態を監視する。セルラーネットワーク上でキャンプオン後、ＣＭプログラム１７１は、メッセージレシーバ１７３を駆動してセルラーネットワーク１５からテキストメッセージを受信してもよい。
【００３７】
ＣＭプログラム１７１が、テキストメッセージ（例えば、ＳＭＳあるいはＣＢＳ）をセルラーネットワーク１５からモバイルネットワーク通信モジュール１１０を介して受信すると（ステップＳ５１０）、当該ＣＭプログラム１７１は、テキストメッセージをメッセージデコーダ１７２に送信し、当該メッセージデコーダ１７２は、テキストメッセージを復号してテキスト内容を取得する（ステップＳ５２０）。メッセージデコーダ１７２は、テキストメッセージをテキスト内容（ペイロード内の内容等の情報、あるいは、符号化方法、送信者番号等さえ含む)に、例えば、第３世代パートナーシップ（３ＧＰＰ）ＴＳ２３．０３８基準に基づいて復号する。次に、メッセージデコーダ１７２は、復号結果をＣＭプログラム１７１に戻す。ＣＭプログラム１７１は、テキスト／発話コンバータ１７５に、復号したテキスト内容を送信する。
【００３８】
次に、テキスト／発話コンバータ１７５は、発話生成手順を実行するためオーディオプロセッサ１８３を駆動し、テキスト内容を発話内容にテキスト−スピーチ（ＴＴＳ）技術に従って変換する（ステップＳ５３０）。次に、ＣＭプログラム１７１は、ＳＬＩＣモジュール１３０を駆動する。ＣＭプログラム１７１から発話内容を受信すると、ＳＬＩＣモジュール１３０は、従来型の電話機１３でリンギングを生成する。
【００３９】
テキストメッセージは、様々な重大度あるいは重要度を有し得る。図６を参照し、一の実施の形態では、ＣＭプログラム１７１は、復号したテキスト内容からテキストメッセージの重大度を判別し（ステップＳ６１０）、ＳＬＩＣモジュール１４０は、判別された重大度に従ってリンギングの周波数あるいはパターンを設定してもよい。例えば、緊急ブロードキャストメッセージは、最も高い重大度を有するので、ＳＬＩＣモジュール１３０は、リンギングの頻度を増加させ、速いリンギング音を生成する（ステップＳ６２０）。一般的なブロードキャストメッセージについては、ＳＬＩＣモジュール１３０は、通常のリンギング音を生成する（ステップＳ６３０）。一般的なテキストメッセージについては、ＳＬＩＣモジュール１３０は、リンギングのパターンを変更し、間欠的なリンギング音を生成する（ステップＳ６４０）。テキストメッセージの重大度の分類及び対応するリンギングの周波数あるいはパターンの変更については、多様であってもよく、ユーザは、図６の実施の形態以外の要望に応じて変更を加えてよい。
【００４０】
次に、ＳＬＩＣモジュール１３０は、従来型の電話機１３がオフフック状態（例えば、ハンドセットが持ち上げられ、あるいは発話ボタンが押された状態）であることを検知した場合、ＳＬＩＣモジュール１４０は、発話内容を再生し（ステップＳ６５０）、従来型の電話機１３上で発話内容を再生する（ステップＳ５４０）。ＳＬＩＣモジュール１３０が、従来型の電話機１３がオンフック状態（例えば、ハンドセットが電話機の元の位置に置かれ、あるいはハングアップボタンが押された状態）であることを検知した場合には、ＳＬＩＣモジュール１３０は、発話内容を再生する動作を終了する。なお、ＣＭプログラム１７１は、設定あるいは要望に応じて、メモリ１５０内のテキスト／発話内容を保持するか、あるいは、直接テキスト／発話内容を削除してよい。
【００４１】
要約すると、本発明の実施の形態によれば、セルラーネットワークからのテキストメッセージが、ＰＳＴＮへの送信のために発話内容に変換され、これによって従来型の電話機が発話内容を受信でき、またユーザは音声でテキストメッセージのテキスト内容を聞くことができる。その結果、単に従来型の電話機をテキストメッセージ送信装置に接続することで、ユーザは、（緊急、災害等の）警告メッセージを受信することができる。
【００４２】
本発明の技術的範囲あるいは主旨から逸脱しない限りにおいて、本発明の構成について様々な応用及び変更が可能な点、当業者にとって明らかである。以上を鑑み、本発明は特許請求の範囲及びその均等の範囲内において、本発明についての応用及び変更も包含することを意図したものである。
【産業上の利用可能性】
【００４３】
本発明のテキストメッセージ送信装置及びその方法は、テキストメッセージ通信システムに適用可能である。
【符号の説明】
【００４４】
１      通信システム
１１    モバイル端末
１２、１３    従来型の電話機
１５    セルラーネットワーク
１７    ＶｏＩＰ
１００  テキストメッセージ送信装置
１１０  モバイルネットワーク通信モジュール
１１３  無線フロントエンド回路
１１５  無線送受信機
１１７  通信プロトコルプロセッサ
１３０  ＳＬＩＣモジュール
１３１  機能ドライバ
１３３  保護回路
１４０  電源
１５０  メモリ
１６０  プロセッサ
１７０  アプリケーション
１７１  ＣＭプログラム
１７２  メッセージデコーダ
１７３  メッセージレシーバ
１７４  発話プレイヤ
１７５  テキスト／発話コンバータ
１８０  ＯＳカーネル
１８１  ＳＬＩＣドライバ
１８２  モデムドライバ
１８３  オーディオプロセッサ
１８４  オーディオドライバ
１８５  オーディオファームウェア
Ｓ５１０〜Ｓ５４０、Ｓ６１０〜Ｓ６５０  ステップ
【図１】
2019176457.tif 000003
【図２】
2019176457.tif 000004
【図３】
2019176457.tif 000005
【図４】
2019176457.tif 000006
【図５】
2019176457.tif 000007
【図６】
2019176457.tif 000008
【外国語明細書】
2019176457000001.pdf